(57)【要約】【課題】使用者が、自分が健康的で美しいかどうかを判断できる指標を使用者に報知することが可能な健康美判定システムを提供する。【解決手段】本発明の健康美判定システム１は、判定対象者の身体に関する複数の身体情報、および、判定対象者の生活習慣に関する複数の生活習慣情報を入力する入力部１１と、該入力部に入力された身体情報に基づき、複数の身体評価項目について項目ごとにレベル分け判定し、前記入力部に入力された生活習慣情報に基づき、複数の生活習慣評価項目について項目ごとにレベル分け判定する第１の演算部１２１と、該第１の演算部による各項目のレベル分け判定の結果を含む判定結果情報を作成する第２の演算部１２２と、該第２の演算部により作成された判定結果情報を判定対象者に報知する報知部（例えばモニタ１３）と、を有することを特徴とする。【選択図】図１
2013208392.tif 000002
【特許請求の範囲】
【請求項１】
判定対象者の身体に関する複数の身体情報、および、判定対象者の生活習慣に関する複数の生活習慣情報を入力する入力部と、
該入力部に入力された身体情報に基づき、複数の身体評価項目について項目ごとにレベル分け判定し、前記入力部に入力された生活習慣情報に基づき、複数の生活習慣評価項目について項目ごとにレベル分け判定する第１の演算部と、
該第１の演算部による各項目のレベル分け判定の結果を含む判定結果情報を作成する第２の演算部と、
該第２の演算部により作成された判定結果情報を判定対象者に報知する報知部と、
を有することを特徴とする健康美判定システム。
【請求項２】
前記第１の演算部は、前記身体評価項目および前記生活習慣評価項目について、それぞれを数値化することによりレベル分け判定を行う請求項１に記載の健康美判定システム。
【請求項３】
前記入力部は、前記身体情報として、体脂肪率と、ＢＭＩ（Body Mass Index）に関する情報と、筋肉量に関する情報とを入力可能であり、
前記第１の演算部は、前記身体評価項目として、体脂肪率、ＢＭＩ、および筋肉量の項目についてレベル分け判定する請求項１または２に記載の健康美判定システム。
【請求項４】
前記入力部は、前記ＢＭＩに関する情報として、判定対象者の身長および体重を入力可能であり、
前記第１の演算部は、前記入力部に入力された身長および体重からＢＭＩを算出し、ＢＭＩのレベル分け判定に供する請求項３に記載の健康美判定システム。
【請求項５】
前記入力部は、前記筋肉量に関する情報として、判定対象者の体脂肪率、身長および体重を入力可能であり、
前記第１の演算部は、前記入力部に入力された体脂肪率、身長および体重に基づいて、筋肉量のレベル分け判定を行う請求項３または４に記載の健康美判定システム。
【請求項６】
前記第１の演算部は、前記体脂肪率、前記ＢＭＩおよび前記筋肉量のレベル分け判定において、判定対象の体脂肪率、ＢＭＩおよび筋肉量が予め定めた範囲内の場合に高レベルと判定し、前記範囲よりも少ないまたは多い場合には低レベルと判定する請求項３〜５のいずれか１項に記載の健康美判定システム。
【請求項７】
前記入力部は、前記生活習慣情報として、睡眠時間の情報、運動時間の情報、入浴の有無に関する情報、排便の有無に関する情報、および食事に関する情報を入力可能であり、
前記第１の演算部は、前記生活習慣評価項目として、睡眠、運動、入浴、排便、および食事の項目についてレベル分け判定する請求項１〜６のいずれか１項に記載の健康美判定システム。
【請求項８】
それぞれの判定結果情報に対応したメッセージを記憶させた第１の記憶部と、
前記第２の演算部により作成された判定結果情報に対応するメッセージを前記第１の記憶部から読み出すメッセージ特定部と、を有し、
前記報知部は、前記第２の演算部により作成された判定結果情報および前記メッセージ特定部により特定されたメッセージを判定対象者に報知する請求項１〜７のいずれか１項に記載の健康美判定システム。
【請求項９】
前記判定結果情報をその作成時と対応付けて記憶する第２の記憶部を有し、
前記報知部は、前記判定結果情報の履歴を判定対象者に報知する請求項１〜８のいずれか１項に記載の健康美判定システム。
【請求項１０】
前記報知部は、報知内容を画像で表示するモニタを含む請求項１〜９のいずれか１項に記載の健康美判定システム。
【請求項１１】
判定対象者の身体に関する複数の身体情報、および、判定対象者の生活習慣に関する複数の生活習慣情報の入力を検出する検出処理と、
該検出処理により検出された身体情報に基づき、複数の身体評価項目について項目ごとにレベル分け判定し、前記検出処理により検出された生活習慣情報に基づき、複数の生活習慣評価項目について項目ごとにレベル分け判定する第１の演算処理と、
該第１の演算処理による各項目のレベル分け判定の結果を含む判定結果情報を作成する第２の演算処理と、
該第２の演算処理により作成された判定結果情報を判定対象者に報知する報知処理とを、
制御部を有する健康美判定システムの前記制御部に実行させることを特徴とする健康美判定プログラム。
【請求項１２】
前記検出処理は、前記身体情報として、体脂肪率と、ＢＭＩ（Body Mass Index）に関する情報と、筋肉量に関する情報とを検出可能であり、前記第１の演算処理は、前記身体評価項目として、体脂肪率、ＢＭＩ、および筋肉量の項目についてレベル分け判定する請求項１１に記載の健康美判定プログラム。
【請求項１３】
前記検出処理は、前記生活習慣情報として、睡眠時間の情報、運動時間の情報、入浴の有無に関する情報、排便の有無に関する情報、および食事に関する情報を検出可能であり、前記第１の演算処理は、前記生活習慣評価項目として、睡眠、運動、入浴、排便、および食事の項目についてレベル分け判定する請求項１１または１２に記載の健康美判定プログラム。
【発明の詳細な説明】
【技術分野】
【０００１】
本発明は、判定対象者の健康美を判定して判定対象者に報知する健康美判定システムに関する。さらに、本発明は、コンピュータをこの健康美判定システムとして機能させる健康美判定プログラムに関する。
【背景技術】
【０００２】
体重を測定するとともに、生体電気インピーダンス測定（ＢＩＡ：bioelectrical impedance analysis）を用いて使用者の体脂肪率を算出する装置である体組成計が知られている。さらに、測定した体脂肪率から使用者の筋肉量を算出して表示する体組成計も知られている。これら従来の体組成計では、体重、体脂肪率、筋肉量などがそれぞれ個別に表示、あるいはレベル判定されるものであった。
【０００３】
ここで、特許文献１には、ＢＩＡにより得た体脂肪率と、体脂肪率から算出した筋肉量および別途入力した身長から求めた筋肉量レベルとの組み合わせにより、体型判定を行うことが可能な体組成計が記載されている。
【先行技術文献】
【特許文献】
【０００４】
【特許文献１】特開２００４−３４４５１８号公報
【発明の概要】
【発明が解決しようとする課題】
【０００５】
近年の女性はスラッとしたスリムな体型に憧れをもつ傾向にある。このため、メーカーの体組成計の説明書には、測定結果の解釈については医師をはじめとする専門家の判断に従うべき旨の注意書きがあるにもかかわらず、上記のような体組成計から報知される情報のもとでは、女性は、体重、体脂肪率、筋肉量、あるいはそれらに基づく体型判定などにおいて、体組成計メーカーの定めている「標準」ではなく、「やせ」を目標としてダイエットに励むことがある。その結果、栄養不良となり、月経不順や骨粗しょう症、さらにはいわゆる拒食症や過食症などの摂食障害も、女性の間で広がりつつある。健康的で美しい女性とは、単に軽く、細い女性ではなく、適度な体重、体脂肪率、筋肉量があり、健康的な生活を送っている女性である。
【０００６】
しかしながら、従来の体組成計のように、体重、体脂肪率、筋肉量などがそれぞれ個別に報知されても、使用者は自分の体型が健康的か否か、さらには健康的な生活を送っているか否かを十分に理解することができない。また、特許文献１の体組成計のように、体脂肪率と筋肉量レベルとに基づく体型判定結果のみを報知されても同様である。
【０００７】
つまり、従来の体組成計では、使用者が得られる情報が希薄であるため、使用者が健康的で美しいかどうかを判断することができず、その結果、体型や生活習慣の維持または改善のための適切な目標設定行動を促すこともできていない。
【０００８】
このような課題に鑑み、本発明は、使用者が、自分が健康的で美しいかどうかを判断できる指標を使用者に報知することが可能な健康美判定システムを提供することを目的とする。さらに本発明は、コンピュータ等をこの健康美判定システムとして機能させる健康美判定プログラムを提供することを目的とする。
【課題を解決するための手段】
【０００９】
上述した課題を解決すべく、本発明の健康美判定システムは、
判定対象者の身体に関する複数の身体情報、および、判定対象者の生活習慣に関する複数の生活習慣情報を入力する入力部と、
該入力部に入力された身体情報に基づき、複数の身体評価項目について項目ごとにレベル分け判定し、前記入力部に入力された生活習慣情報に基づき、複数の生活習慣評価項目について項目ごとにレベル分け判定する第１の演算部と、
該第１の演算部による各項目のレベル分け判定の結果を含む判定結果情報を作成する第２の演算部と、
該第２の演算部により作成された判定結果情報を判定対象者に報知する報知部と、
を有することを特徴とする。
【００１０】
本発明の健康美判定システムにおいて、
前記第１の演算部は、前記身体評価項目および前記生活習慣評価項目について、それぞれを数値化することによりレベル分け判定を行うことが好ましい。
【００１１】
本発明の健康美判定システムにおいて、
前記入力部は、前記身体情報として、体脂肪率と、ＢＭＩ（Body Mass Index）に関する情報と、筋肉量に関する情報とを入力可能であり、
前記第１の演算部は、前記身体評価項目として、体脂肪率、ＢＭＩ、および筋肉量の項目についてレベル分け判定することが好ましい。
【００１２】
この場合、前記入力部は、前記ＢＭＩに関する情報として、判定対象者の身長および体重を入力可能であり、
前記第１の演算部は、前記入力部に入力された身長および体重からＢＭＩを算出し、ＢＭＩのレベル分け判定に供することが好ましい。
【００１３】
また、この場合前記入力部は、前記筋肉量に関する情報として、判定対象者の体脂肪率、身長および体重を入力可能であり、
前記第１の演算部は、前記入力部に入力された体脂肪率、身長および体重に基づいて、筋肉量のレベル分け判定を行うことが好ましい。
【００１４】
また、この場合、前記第１の演算部は、前記体脂肪率、前記ＢＭＩおよび前記筋肉量のレベル分け判定において、判定対象の体脂肪率、ＢＭＩおよび筋肉量が予め定めた範囲内の場合に高レベルと判定し、前記範囲よりも少ないまたは多い場合には低レベルと判定することも好ましい。
【００１５】
また、本発明の健康美判定システムにおいて、
前記入力部は、前記生活習慣情報として、睡眠時間の情報、運動時間の情報、入浴の有無に関する情報、排便の有無に関する情報、および食事に関する情報を入力可能であり、
前記第１の演算部は、前記生活習慣評価項目として、睡眠、運動、入浴、排便、および食事の項目についてレベル分け判定することが好ましい。
【００１６】
また、本発明の健康美判定システムは、
それぞれの判定結果情報に対応したメッセージを記憶させた第１の記憶部と、
前記第２の演算部により作成された判定結果情報に対応するメッセージを前記第１の記憶部から読み出すメッセージ特定部と、を有し、
前記報知部は、前記第２の演算部により作成された判定結果情報および前記メッセージ特定部により特定されたメッセージを判定対象者に報知することが好ましい。
【００１７】
また、本発明の健康美判定システムは、
前記判定結果情報をその作成時と対応付けて記憶する第２の記憶部を有し、
前記報知部は、前記判定結果情報の履歴を判定対象者に報知することが好ましい。
【００１８】
また、本発明の健康美判定システムにおいて、
前記報知部は、報知内容を画像で表示するモニタを含むことが好ましい。
【００１９】
また、本発明による健康美判定プログラムは、
判定対象者の身体に関する複数の身体情報、および、判定対象者の生活習慣に関する複数の生活習慣情報の入力を検出する検出処理と、
該検出処理により検出された身体情報に基づき、複数の身体評価項目について項目ごとにレベル分け判定し、前記検出処理により検出された生活習慣情報に基づき、複数の生活習慣評価項目について項目ごとにレベル分け判定する第１の演算処理と、
該第１の演算処理による各項目のレベル分け判定の結果を含む判定結果情報を作成する第２の演算処理と、
該第２の演算処理により作成された判定結果情報を判定対象者に報知する報知処理とを、
制御部を有する健康美判定システムの前記制御部に実行させる。
【００２０】
さらに、本発明による健康美判定プログラムにおいて、前記検出処理は、前記身体情報として、体脂肪率と、ＢＭＩ（Body Mass Index）に関する情報と、筋肉量に関する情報とを検出可能であり、前記第１の演算処理は、前記身体評価項目として、体脂肪率、ＢＭＩ、および筋肉量の項目についてレベル分け判定することが好ましい。
【００２１】
また、本発明による健康美判定プログラムにおいて、前記検出処理は、前記生活習慣情報として、睡眠時間の情報、運動時間の情報、入浴の有無に関する情報、排便の有無に関する情報、および食事に関する情報を検出可能であり、前記第１の演算処理は、前記生活習慣評価項目として、睡眠、運動、入浴、排便、および食事の項目についてレベル分け判定することが好ましい。
【発明の効果】
【００２２】
本発明の健康美判定システムによれば、判定対象者の複数の身体情報を身体評価項目とし、さらに判定対象者の複数の生活習慣情報を生活習慣評価項目とし、それぞれの評価項目について、項目ごとにレベル分け判定し、前述の各項目のレベル分け判定結果を含む判定結果情報を作成し、上記判定結果情報を判定対象者に報知することが可能となる。その結果、判定対象者は自分が健康的で美しいかどうかを判断することができる。さらには、本発明は判定対象者に体型や生活習慣の維持または改善の適切な目標設定行動を促すことができる。
【００２３】
さらに本発明によれば、コンピュータをこの健康美判定システムとして機能させる健康美判定プログラムを提供することができる。
【図面の簡単な説明】
【００２４】
【図１】本発明の一実施形態に係る健康美判定システムの機能構成図である。
【図２】本発明の一実施形態に係る健康美判定システムにおいて、第１の演算部が参照する、評価項目ごとの数値化レベル分け判定用の参照テーブルである。
【図３】本発明の一実施形態に係る健康美判定システムにおいて、第２の演算部が参照する判定結果情報作成用の参照テーブルである。
【図４】本発明の一実施形態に係る健康美判定システムにおいて、第２の演算部が参照する体型判定、生活習慣判定、および健康美判定用の参照テーブルである。
【図５】本発明の一実施形態に係る健康美判定システムにおける、入力用画面である。
【図６】本発明の一実施形態に係る健康美判定システムにおける、モニタに出力される報知情報である。
【図７】本発明の一実施形態に係る健康美判定システムにおいて、第１の記憶部に記憶されているメッセージである。
【図８】本発明の一実施形態に係る健康美判定システムにおける、制御部が実行するメインルーチンを示すフローチャートである。
【図９】図８の第１の演算（ステップＳ２０）の手順を示すサブルーチンのフローチャートである。
【発明を実施するための形態】
【００２５】
以下、本発明を適用した健康美判定システムの一実施形態について、図面を参照して説明する。
【００２６】
なお、本発明を適用する健康美判定システムは１つのハードウェアにより実現されても、複数のハードウェアから実現されても構わないが、本発明の一実施形態として以下に説明する健康美判定システム１は、1台の汎用コンピュータで本発明に係る健康美判定システムを実現している。より具体的はハードウェアとしては、例えば、ＣＰＵと、メインメモリと、不揮発性記憶媒体と、入力装置と、出力装置とを備えた汎用のコンピュータや、スマートフォンなどが挙げられる。
【００２７】
図１は本発明の一実施形態による健康美判定システム１の構成図である。この健康美判定システム１は、複数の身体評価項目について項目ごとにそれぞれを数値化することによりレベル分け判定し、さらに、複数の生活習慣評価項目について項目ごとにそれぞれを数値化することによりレベル分け判定し、各項目のレベル分け判定の結果を含む判定結果情報を作成し、これを判定対象者に報知するものである。健康美判定システム１は、制御部１０、入力部１１、演算部１２、報知部であるモニタ１３、記憶部１４、メッセージ特定部１５を含む。演算部１２は、第１の演算部１２１、第２の演算部１２２を含み、記憶部１４は、第１の記憶部１４１、第２の記憶部１４２を含む。
【００２８】
制御部１０は、ＣＰＵにより実現され、入力部１１、演算部１２、報知部であるモニタ１３、記憶部１４、メッセージ特定部１５、第１の演算部１２１、第２の演算部１２２、第１の記憶部１４１、および第２の記憶部１４２間の情報および指令の伝達および各部位の動作を、あらかじめ記憶部１４に記憶された健康美判定システム１を動作させるためのプログラムを実行することにより、制御する。
【００２９】
入力部１１は、キーボードや複数のボタン、タッチパネルなどの入力装置から構成される。入力部１１において、演算部１２が必要とする複数の身体情報として身長と、体重と、体脂肪率との入力が行われ、複数の生活習慣情報として睡眠時間の情報と、運動時間の情報と、入浴の有無に関する情報と、排便の有無に関する情報と、食事に関する情報との入力が行われる。上記入力されたデータは制御部１０を介して演算部１２に伝達され、また必要に応じて記憶部１４に記憶される。
【００３０】
演算部１２は、ＣＰＵにより実現され、第１の演算部１２１と、第２の演算部１２２とを含み、それぞれの果たすべき機能は以下のとおりである。
【００３１】
第１の演算部１２１は制御部１０を介して、後述のステップに従い入力部１１において入力された身長および体重から判定対象者のＢＭＩを算出し、さらに入力部１１において入力された体脂肪率、身長および体重から判定対象者の筋肉量レベルを算出する。さらに、第１の演算部１２１は、制御部１０を介し、記憶部１４にあらかじめ記憶されている評価項目ごとの数値化レベル分け判定用の参照テーブル（図２）を用いて、身体評価項目および生活習慣評価項目のそれぞれについて数値化によるレベル分け判定を行う。判定結果は制御部１０によって、第２の演算部１２２に伝達される。
【００３２】
第２の演算部１２２は制御部１０によって、後述のステップに従い、記憶部１４にあらかじめ記憶された判定結果情報作成用のテーブル（図３）に各項目のレベル分け判定の結果を当てはめることにより、第１の演算部１２１による各項目のレベル分け判定の結果を含む判定結果情報を作成する。ここで、本明細書において「判定結果情報」とは、複数の身体評価項目および複数の生活習慣評価項目のレベル分け判定結果（本実施形態では各項目の点数）を少なくとも含む情報である。また、本実施形態では、各項目の点数に加えて、各項目の点数から算出・判定した以下の情報も「判定結果情報」として作成する。
【００３３】
すなわち、第２の演算部１２２は、身体評価項目の点数の合計点である体型スコアを算出し、生活習慣評価項目の点数の合計点である生活習慣スコアを算出し、上記体型スコアと上記生活習慣スコアを足し合わせた健康美スコアも算出する。これら体型スコア、生活習慣スコア、および健康美スコアも、本明細書における判定結果情報に含まれる。
【００３４】
さらに、第２の演算部１２２は、体型スコア、生活習慣スコア、および健康美スコアのそれぞれを、記憶部１４にあらかじめ記憶された参照テーブル（図４）に当てはめることにより、体型判定、生活習慣判定、健康美判定をそれぞれ行う。体型判定とは、あらかじめ体型スコアをレベル分けし、判定対象の体型スコアがどのレベルに該当するかを判定することを意味する。同様に、生活習慣判定とは、あらかじめ生活習慣スコアをレベル分けし、判定対象の生活習慣スコアがどのレベルに該当するかを判定することを意味する。同様に、健康美判定とは、あらかじめ健康美スコアをレベル分けし、判定対象の健康美スコアがどのレベルに該当するかを判定することを意味する。これら体型判定、生活習慣判定、および健康美判定の判定結果も、本明細書における判定結果情報に含まれる。
【００３５】
このようにして作成された判定結果情報は、制御部１０によって、その作成時と対応付けて第２の記憶部１４２に記憶される。
【００３６】
報知部であるモニタ１３は、液晶ディスプレイなどから構成される。モニタ１３は制御部１０を介して、入力部１１が入力を受け付けるための入力用画面（図５）や、第２の演算部１２２により作成された判定結果情報および後述のメッセージ特定部１５が特定したメッセージを画像として表示する（図６）。さらに、モニタ１３は、第２の記憶部１４２に記憶された判定対象者の判定結果情報の履歴の閲覧用画面としても用いられる。
【００３７】
記憶部１４は、ハードディスクやフラッシュメモリなどを用いて構成される。記憶部１４には、第１の演算部１２１および第２の演算部１２２が演算を行う際の各種演算式や参照テーブル（図２、図３、図４、および図７）、さらに後述の健康美判定プログラムが記憶されている。また、記憶部１４は、第１の記憶部１４１と、第２の記憶部１４２とを含む。
【００３８】
第１の記憶部１４１には、体型判定、生活習慣判定および健康美判定のそれぞれの判定結果に対応したメッセージ（図７）が記憶されている。メッセージ特定部１５は、制御部１０を介して、第２の演算部１２２による体型判定、生活習慣判定および健康美判定のそれぞれの判定結果と対応するメッセージを第１の記憶部１４１から読み出し、読み出されたメッセージが制御部１０を介してモニタ１３に伝達される。メッセージの具体例は図７のとおりであり、判定結果に応じた判定対象者へのアドバイスがメッセージとなる。
【００３９】
第２の記憶部１４２には、制御部１０を介して、第２の演算部１２２で作成された判定結果情報がその作成時と対応付けて記憶される。モニタ１３により、この判定結果情報の履歴を時系列で表示したり、グラフ表示したりするなどして、判定対象者は過去の健康美スコアを参照することができる。具体的には、まず、制御部１０は、入力部１１に入力された、判定対応者が過去の健康美スコアを参照するための実行命令を検出する。例えば、図５の入力用画面に履歴閲覧アイコンを設け、判定対象者に入力部１１へ履歴閲覧実行命令の入力を促してもよい。制御部１０は、この実行命令を検出すると、第２の記憶部１４２に記憶されている判定結果情報を読み出す。制御部１０は、読み出した判定結果情報に対して、あらかじめ記憶部１４に記憶された加工用プログラムによって、時系列加工やグラフ加工などの処理を行い、モニタ１３にその時系列やグラフを表示する。
【００４０】
図５は、健康美判定システム１における入力用画面の例である。制御部１０がモニタ１３に当該画面を表示させ、入力部１１からの入力を受け付ける。
【００４１】
図６は、健康美判定システム１における報知情報がモニタ１３に出力された例である。本実施形態では、制御部１０が、第２の演算部１２２により作成された判定結果情報と、メッセージ特定部１５により特定されたメッセージとをモニタ１３に表示する。
【００４２】
次に、制御部１０が行う、記憶部１４にあらかじめ記憶された健康美判定プログラムの実行処理である、健康美判定処理および判定対象者への判定結果報知について、図８および図９のフローチャートを用いて説明する。制御部１０は、入力部１１により本システムを動作させるための実行命令が入力されたことを検出すると、健康美判定システム１としての動作を開始する。
【００４３】
図８は、健康美判定システム１が実行するメインルーチンの概略を示すフローチャートである。
【００４４】
ステップＳ１０において、制御部１０は図５に示す入力用画面をモニタ１３に表示させ、判定対象者の各データは入力部１１から入力され、その後サブルーチンステップＳ２０に進む。例示している入力用画面（図５）では、判定対象者の身体情報として身長と、体重と、体脂肪率との入力を要求し、生活習慣情報として睡眠時間の情報と、運動時間の情報と、入浴の有無に関する情報と、排便の有無に関する情報と、食事に関する情報との入力を要求する。
【００４５】
第１の演算部１２１が実行するサブルーチンステップＳ２０のフローチャートは、図９に示すとおりである。ステップＳ２１では入力部１１に入力された判定対象者の身長および体重から、判定対象者のＢＭＩを算出し、ステップＳ２６に進む。ＢＭＩは次の計算式により算出される。
【００４６】
ＢＭＩ＝体重（ｋｇ）／（身長）２（ｍ）
ＢＭＩを求めるための上記計算式は、記憶部１４に予め記憶されている。
【００４７】
次に、ステップＳ２２〜ステップＳ２５では、判定対象者の体脂肪率、身長および体重から筋肉量レベルを算出する。ここで、本実施形態における筋肉量レベルとは、判定対象者の全身筋肉量を身長の２乗で割った値をその大小によってレベル分け、分類したものである。
【００４８】
上記筋肉量レベルを求めるために、ステップＳ２２では、まず判定対象者の除脂肪量を算出し、ステップＳ２３に進む。除脂肪量は次の計算式により求められる。
【００４９】
除脂肪量（ｋｇ）＝体重（ｋｇ）×（１００―体脂肪率（％））／１００
【００５０】
ステップＳ２３では、判定対象者の除脂肪量から判定対象者の全身骨量を求め、ステップＳ２４に進む。全身骨量は次の計算式により推定的に求められる。
【００５１】
全身骨量（ｋｇ）＝Ｃ１×除脂肪量（ｋｇ）＋Ｃ２
なお、Ｃ１およびＣ２は定数である。
【００５２】
ステップＳ２４では、ステップＳ２３までに算出した除脂肪量と全身骨量とから、判定対象者の全身筋肉量を算出し、ステップＳ２５に進む。全身筋肉量は次の式で推定的に求められる。
【００５３】
全身筋肉量（ｋｇ）＝除脂肪量（ｋｇ）―全身骨量（ｋｇ）
【００５４】
ステップＳ２５では、ステップＳ２４までに算出した全身筋肉量と入力部１１に入力された身長とを用いて、全身筋肉量（ｋｇ）を身長（ｃｍ）の２乗で割った値を求める。求めた値が以下のどの範囲に属するかで筋肉量レベルを以下の９つのレベルから決定し、ステップＳ２６に進む。
【００５５】
レベル−４：１．０×１０−３ｋｇ／ｃｍ２未満
レベル−３：１．０×１０−３ｋｇ／ｃｍ２以上〜１．１×１０−３ｋｇ／ｃｍ２未満
レベル−２：１．１×１０−３ｋｇ／ｃｍ２以上〜１．２×１０−３ｋｇ／ｃｍ２未満
レベル−１：１．２×１０−３ｋｇ／ｃｍ２以上〜１．４×１０−３ｋｇ／ｃｍ２未満
レベル  ０：１．４×１０−３ｋｇ／ｃｍ２以上〜１．６×１０−３ｋｇ／ｃｍ２未満
レベル＋１：１．６×１０−３ｋｇ／ｃｍ２以上〜１．８×１０−３ｋｇ／ｃｍ２未満
レベル＋２：１．８×１０−３ｋｇ／ｃｍ２以上〜１．９×１０−３ｋｇ／ｃｍ２未満
レベル＋３：１．９×１０−３ｋｇ／ｃｍ２以上〜２．０×１０−３ｋｇ／ｃｍ２未満
レベル＋４：２．０×１０−３ｋｇ／ｃｍ２以上
【００５６】
なお、ここで示したレベル分けの基準値は、判定対象者が女性の場合の一例である。筋肉量レベルを求めるための上記計算式およびレベル分けの基準値は、記憶部１４に予め記憶されている。
【００５７】
ステップＳ２６では、複数の身体評価項目と複数の生活習慣評価項目のそれぞれの項目について数値化によるレベル分けを行う。まず、ステップＳ２１で算出したＢＭＩを図２の参照テーブルに当てはめて、ＢＭＩのレベル分け判定を行う。例えばＢＭＩが「２０．０」であればＢＭＩスコアは１０点となる。次に、入力部１１に入力された体脂肪率を図２の参照テーブルに当てはめて、体脂肪率のレベル分け判定を行う。例えば体脂肪率が「２９．０％」であれば、体脂肪率スコアは７点となる。同様に、ステップＳ２５で算出した筋肉量レベルを図２の参照テーブルに当てはめて、筋肉量レベルのレベル分け判定を行う。例えば、筋肉量レベルが「−２」であれば、筋肉量スコアは１点となる。図２の参照テーブルに示すように、体脂肪率、ＢＭＩおよび筋肉量レベルのレベル分け判定においては、判定対象の体脂肪率、ＢＭＩおよび筋肉量レベルのそれぞれが、一般的に健康的で美しい体型であると評価できる範囲にある場合に高レベル（スコア１０点）と判定し、この範囲よりも少ないまたは多い場合には低レベル（スコア７点またはスコア１点）と判定するようにしている。このため、適度な体重、体脂肪率、筋肉量レベルの場合に高得点となり、やせすぎていると低得点となる仕組みになっている。そのため、本システム１では、健康的な美しさを判定できる。
【００５８】
ステップＳ２６では、同様に、入力部１１に入力された５つの生活習慣情報を図２の参照テーブルに当てはめて、５つの生活習慣評価項目のそれぞれについても数値化によるレベル分けを行う。本実施形態では、図５に示すように、食事に関する情報として、朝食、昼食、夕食のそれぞれについて、主食、主菜、および副菜を食べたか否かが入力される。各回の食事について、主食、主菜および副菜の全てを食べた場合に、「バランスよく食べた」と判定される。そして、図２に示すように、朝食、昼食および夕食のうち何食をバランスよく食べたかによって、食事の項目についてのレベル分け判定が行われる。なお、「１食バランスよく食べた」場合は、「バランスよく食べていない」に含まれる。
【００５９】
身体評価項目と生活習慣評価項目のそれぞれの項目について数値化によるレベル分けを終えると、サブルーチンステップＳ２０は終了し、ステップＳ３０に進む。
【００６０】
ステップＳ３０では、第２の演算部１２２が図３の判定結果情報作成用の参照テーブルを用いて、第１の演算部１２１による各項目のレベル分け判定の結果を含む判定結果情報を作成する。また、第２の演算部１２２は、身体評価項目の点数の合計点である体型スコアを算出し、生活習慣評価項目の点数の合計点である生活習慣スコアを算出し、上記体型スコアと上記生活習慣スコアを足し合わせた健康美スコアも算出する。さらに、第２の演算部１２２は、体型スコア、生活習慣スコア、および健康美スコアのそれぞれを、図４の判定用の参照テーブルに当てはめることにより、体型判定、生活習慣判定、健康美判定も行う。例えば、体型スコア１８点、生活習慣スコア２９点、健康美スコア４７点と算出されると、体型判定「エメラルドボディ」、生活習慣判定「エメラルドライフ」、健康美判定「原石」となる。本実施形態では、各項目のレベル分け判定の結果である点数、体型スコア、生活習慣スコア、健康美スコア、体型判定の結果、生活習慣判定の結果、および健康美判定の結果が判定結果情報となる。第２の演算部１２２により判定結果情報の作成が行われると、ステップＳ４０、Ｓ５０に進む。
【００６１】
ステップＳ４０では、第２の記憶部１４２がステップＳ３０で作成された判定結果情報をその作成時と対応付けて記憶し、処理を終了する。
【００６２】
ステップＳ５０では、メッセージ特定部１５がステップＳ３０の判定結果から、判定対象者へのメッセージを作成し、ステップＳ６０へ進む。第１の記憶部１４１には、図７のメッセージ特定用の参照テーブルが記憶されており、例えば健康美スコア６０点以上で、健康美判定が「ブリリアント」の場合に対応して、例えば「磨かれて光り輝いています。」というメッセージが記憶されている。メッセージ特定部１５では、第２の演算部１２２による体型判定、生活習慣判定、健康美判定のそれぞれの判定結果に対応するメッセージを第１の記憶部１４１から読み出す。これにより、判定対象者へのメッセージも特定される。
【００６３】
ステップＳ６０では、ステップＳ３０で作成された判定対象情報と、ステップＳ５０で特定されたメッセージとをモニタ１３に表示して処理を終了する。図６は表示結果の例である。本実施形態では、図６のように身体評価項目と生活習慣評価項目のそれぞれについて点数をレーダーチャートとして表示し、体型スコア、生活習慣スコア、および健康美スコアを表示し、さらに、体型判定、生活習慣判定、および健康美判定の判定結果、各判定に対するメッセージについても表示している。しかし、判定結果情報は、体型評価項目および生活習慣評価項目の各項目のレベル分け判定（点数）の結果を含む情報であれば、表示形態には特に限定されず、例えば図３のように単に、評価項目ごとの点数、体型スコア、生活習慣スコア、および健康美スコアを一覧表示するようなものでもよい。判定対象者は、モニタ１３に出力された各評価項目の点数により、自分が健康的で美しいかどうかを判断することができる。また、体型スコアおよび生活習慣スコアにより、自分が体型面と健康面のどちらに優れているか、あるいは今後どちらを改善すべきかを判断することができる。また、健康美スコアにより、体型面と健康面の総合的な評価を知ることができる。よって、これらの判定結果情報は、判定対象者に体型および生活習慣の維持や改善のための適切な目標設定行動を促すことができる。
【００６４】
また、本実施形態における各項目の評価基準によれば、「痩せすぎている」ことは「不健康であり、美しくない」ことになり、「適正なＢＭＩ、体脂肪率、筋肉量」の体型が「健康的で美しい」体型と判定される。同様に、「適正でない生活習慣」は「不健康であり、美しくない」ことになり、「適正な生活習慣であること」が「健康的で美しい」と判定される。このため、本実施形態の健康美判定システム１は、判定対象者に対して、女性の体型と健康に対して正しい認識を与えることができる。
【００６５】
また、本実施形態では身体評価項目に、ＢＭＩと、体脂肪率と、筋肉量とを含むので、精度の高い健康美判定を行うことができる。
【００６６】
加えて、本実施形態による健康美判定システム１は、判定対象者へのメッセージをモニタ１３に表示するので、判定対象者はメッセージに従うことにより今後のダイエットの指針を設けやすくなる。
【００６７】
また、判定対象者は、第２の記憶部１４２に記憶された自己の健康美判定の履歴を参照することで、判定対象者のダイエットの成果や、達成度合いを認識することができ、よりダイエット意欲が向上することも見込まれる。
【００６８】
さらに、判定対象者はモニタ１３に表示された健康美判定結果表示を目視で確認できるので、自己の健康美判定の理解が容易となる。
【００６９】
（変形例）
これまで本実施形態の健康美判定システム１を説明してきたが、本発明はこれに限定されることはなく、当業者であれば本開示に基づき種々の変形や修正を行うことが容易であることに注意されたい。例えば、以下のような変形や修正は本発明の範囲に含まれることに留意されたい。
【００７０】
上記の実施形態では、筋肉量に関する情報として身長、体重および体脂肪率を入力させて、これらから判定対象者の筋肉量レベルを算出していたが、入力情報としては、身長、体重および体脂肪率の組み合わせに代えて、筋肉量レベルそのもの、あるいは筋肉量と身長を入力することとしても良い。
【００７１】
これにより、筋肉量レベル算出ステップの省略が可能となり、筋肉量レベル計算の高速化や、体組成計などからの測定データの移行の容易化が可能となる。
【００７２】
また、上記実施形態では全身筋肉量（ｋｇ）を身長（ｃｍ）の２乗で割った値から筋肉量レベルを決定し、図２に示すように当該筋肉量レベルを、身体評価項目の１つである筋肉量のレベル分け判定に供したが、全身筋肉量（ｋｇ）を身長（ｃｍ）の２乗で割った値そのものを、筋肉量のレベル分け判定に供してもよい。
【００７３】
また、上記実施形態では、筋肉量レベルの判定において筋肉量／身長２の値を用いたが、筋肉量／身長ｎのｎは特に限定されず、実数であればよい。ｎ＝１の場合には単位長さ当たりの筋肉量、ｎ＝３であれば単位容積当たりの筋肉量となるもので、ｎの値がいくつであっても身長に基づく基準単位当たりの筋肉量を表すことには変わりない。
【００７４】
また、上記実施形態では、除脂肪量から骨量を減ずることにより筋肉量を算出したが、他の任意の手法で筋肉量を算出してもよいことは勿論である。
【００７５】
さらに、上記実施形態では全身筋肉量を算出したが、これに替えて、あるいはこれに加えて、公知の手法により体の各部位の筋肉量を算出あるいは入力して、レベル分け判定してもよい。例えば、身体評価項目として、全身筋肉量に加えて、右足筋肉量、左足筋肉量、体幹部筋肉量などを加えることができる。この場合、より精度の高い健康美判定が可能となる。
【００７６】
同様に、上記実施形態では、ＢＭＩに関する情報として身長および体重を入力させて、これらから判定対象者のＢＭＩを算出していたが、身長および体重に代えて、ＢＭＩを直接入力させるようにすれば、ＢＭＩ算出ステップの省略が可能となり、判定の高速化が可能となる。
【００７７】
身体評価項目としては、体脂肪率、ＢＭＩおよび筋肉量レベルに限定されることなく、任意の他の項目を用いることができる。例えば、体重、全身骨量、除脂肪量、脚点などを挙げることができる。身体評価項目ごとに必要な入力情報を入力させればよい。体重を身体評価項目とする場合は、体重を入力させる。全身骨量または除脂肪量を身体評価項目とする場合は、体重および体脂肪率を入力させる。
【００７８】
また、上記実施形態では、５つの生活習慣評価項目を設けたが、逆に簡易的な生活習慣判定を行う場合には、例えば睡眠時間と運動時間などの、少なくとも２種類以上の生活習慣評価項目を設ければよい。この場合でも、複数の身体評価項目と複数の生活習慣評価項目の組み合わせによって、従来にない健康美判定を行うことができる。
【００７９】
なお、生活習慣評価項目が上記実施形態に限定されることはなく、例えば喫煙習慣や飲酒習慣などを評価項目としても良い。
【００８０】
また、上記実施形態では各評価項目を点数としてレベル分け判定したが、○、△、×やＡ、Ｂ、Ｃといったレベル分け判定であってもよいことは勿論である。また、数値化によるレベル分けに関しても、上記実施形態に限定されることはなく、例えば１点、３点、５点、１０点などの４段階評価以上としてもよいし、０点と１点のように２段階評価としてもよい。
【００８１】
上記実施形態では、健康美判定システム１を構成するハードウェアとして、汎用のコンピュータシステムや、スマートフォンなどを挙げたが、これに限定されることはない。
【００８２】
例えば、入力部１１は体組成計を含んでもよい。この場合、体組成計で測定した判定対象者の体重、体脂肪率、筋肉量に関する情報をそのまま用いればよく、判定対象者自身がこれらの情報の入力を行う必要がない。通信手段を持つ体組成計の場合、この通信手段を用いて測定情報を送信することができる。体組成計の測定情報をＵＳＢ等の別の記憶媒体でＰＣ等に読み込んでもよい。本発明にかかる健康美判定システムは、複数のハードウェアから本発明を実現することを含んでいる。
【００８３】
また、演算部１２、記憶部１４およびメッセージ特定部１５等の機能を備えるサーバコンピュータと、入力部１１やモニタ１３を備えるクライアントコンピュータと、これらサーバコンピュータとクライアントコンピュータとの間でデータ通信を可能とするインターネットやＬＡＮなどの通信ネットワークと、で本健康美判定システムを構成することもできる。
【００８４】
また、報知部はモニタ１３に限られる必要はなく、例えばスピーカでもよく、この場合、音声で判定対象者に判定結果情報を報知する。
【００８５】
また、健康美判定システム１を組み込んだ体組成計、活動量計、睡眠計などの生体測定装置も本発明を構成する。体重、体脂肪率、筋肉量については体組成計の測定結果を、運動時間については活動量計の測定結果を、睡眠時間については睡眠計の測定結果を用い、判定対象者が残りの判定に必要な情報を手動入力する構成も考えられるし、これら生体測定装置のいずれか一つまたは組み合わせの使用も考えられる。
【００８６】
これらの生体測定装置により、判定対象者は入力の一部または全部が省略できるので、本発明に係る健康美判定システムの使用が容易となるし、より精度の高い健康美判定を行うことができる。
【００８７】
他にも、コンピュータを、健康美判定システム１として機能させるプログラムも、本発明を構成する。このプログラムは、上述の指標の入力を検出する検出処理と、上述の第１および第２の演算処理と、上述の判定結果情報の報知処理とをコンピュータに実行させる。例えば、少なくとも制御部と、入力部と、演算部と、記憶部とを備える、パーソナルコンピュータやスマートフォン、ワークステーション、専用装置などを健康美判定システムとするために、これらの装置が、インターネット上のサーバなどから上記プログラムをダウンロードしてこれらの装置の記憶部にインストールし、あるいはＣＤ−ＲＯＭ、ＵＳＢメモリ、ＳＤメモリーカードの記憶媒体などから上記プログラムをこれらの装置の記憶部にインストールすることにより、これらの装置の制御部が上記プログラムを実行可能することで、本発明に係るシステムが実現される。
【００８８】
上記プログラムのダウンロード、ＡＳＰ（Ａｐｐｌｉｃａｔｉｏｎ  Ｓｅｒｖｉｃｅ  Ｐｒｏｖｉｄｅｒ）やクラウドサービスなどにおける上記プログラムの使用、このプログラムを格納したＣＤ−ＲＯＭやＵＳＢメモリ、ＳＤメモリーカードなどの記憶媒体も、本発明を構成する。
【産業上の利用可能性】
【００８９】
本発明によれば、使用者が、自分が健康的で美しいかどうかを判断できる指標を使用者に報知することが可能な健康美判定システムを提供することができる。
【００９０】
さらに本発明によれば、コンピュータをこの健康美判定システムとして機能させるプログラムを提供することができる。
【符号の説明】
【００９１】
１  健康美判定システム
１０  制御部
１１  入力部
１２  演算部
１３  モニタ
１４  記憶部
１５  メッセージ特定部
１２１  第１の演算部
１２２  第２の演算部
１４１  第１の記憶部
１４２  第２の記憶部
【図１】
2013208392.tif 000003
【図２】
2013208392.tif 000004
【図３】
2013208392.tif 000005
【図４】
2013208392.tif 000006
【図５】
2013208392.tif 000007
【図６】
2013208392.tif 000008
【図７】
2013208392.tif 000009
【図８】
2013208392.tif 000010
【図９】
2013208392.tif 000011